(57)【要約】  本発明は、複数の受動光ネットワーク（ＰＯＮ）間の光ネットワークユニット（ＯＮＵ）の移転をサポートする方法に関する。特に、本発明は、ソースＰＯＮ中の第１の光ＯＮＵの、ターゲットＰＯＮへの移転をサポートする方法を提案し、ソースＰＯＮおよびターゲットＰＯＮが光分配ネットワーク（ＯＤＮ）を共用し、方法が、ターゲットＰＯＮに対応するターゲット光回線終端装置（ＯＬＴ）に、第１の移転メッセージを送信するステップであって、第１の移転メッセージが第１のＯＮＵの第１の識別子情報を含む、第１の移転メッセージを送信するステップと、ソースＰＯＮに対応するソースＯＬＴに第２の移転メッセージを送信するステップであって、第２の移転メッセージが、第１のＯＮＵの第２の識別子情報およびターゲットＰＯＮの波長情報を含む、第２の移転メッセージを送信するステップとを含む。本発明の解決策を用いて、ＯＮＵが、それが位置するソースＰＯＮから、多波長受動光ネットワーク（ＭＷ−ＰＯＮ）中のターゲットＰＯＮに移転されて、それによって、光ネットワークシステムのアーキテクチャを動的に変更し、その柔軟性を改善することができる。さらに、複数のＰＯＮ間のＯＮＵの動的な移転が、帯域幅およびエネルギーの利用の改善を容易にすることができる。
2015530812.tif 000002
【特許請求の範囲】
【請求項１】
ソース受動光ネットワーク中の第１の光ネットワークユニットの、ターゲット受動光ネットワークへの移転をサポートする方法において、ソース受動光ネットワークおよびターゲット受動光ネットワークが光分配ネットワークを共用し、方法が、
Ｄ．（Ｓ６０４）ターゲット受動光ネットワークに対応するターゲット光回線終端装置に、第１の移転メッセージを送信するステップであって、第１の移転メッセージが第１の光ネットワークユニットの第１の識別子情報を含む、第１の移転メッセージを送信するステップと、
Ｅ．（Ｓ６０５）ソース受動光ネットワークに対応するソース光回線終端装置に、第２の移転メッセージを送信するステップであって、第２の移転メッセージが第１の光ネットワークユニットの第２の識別子情報およびターゲット受動光ネットワークの波長情報を含む、第２の移転メッセージを送信するステップとを含む、方法。
【請求項２】
ステップＤ以前に、方法が
Ｂ．（Ｓ６０２）光分配ネットワークを共用する複数の受動光ネットワークのうち受動光ネットワークそれぞれの負荷情報を取得するステップと、
Ｃ．（Ｓ６０３）受動光ネットワークそれぞれの負荷情報および既定の移転ポリシーに従って、第１の光ネットワークユニット、ソース受動光ネットワークおよびターゲット受動光ネットワークを選択するステップとをさらに含む、請求項１に記載の方法。
【請求項３】
既定の移転ポリシーが、
−  複数の受動光ネットワークから既定の閾値より小さい負荷をもつソース受動光ネットワークを選択することと、
−  第１の光ネットワークユニットをターゲット受動光ネットワークに移転することが可能であることを用いて、複数の受動光ネットワークのうちソース受動光ネットワーク以外の他の受動光ネットワークからターゲット受動光ネットワークを選択することと、
−  ソース受動光ネットワーク中の１つまたは複数の光ネットワークユニットのうちのいずれか１つである第１の光ネットワークユニットとを含む、請求項２に記載の方法。
【請求項４】
ステップＣ以前に、方法が、
（Ｓ２０２）既定のグループ化ポリシーに従って、少なくとも１つのグループを決定するステップであって、各グループが複数の受動光ネットワークのうち少なくとも２つの受動光ネットワークを含む、決定するステップをさらに含み、
ステップＣが、ソース受動光ネットワークが属するグループからターゲット受動光ネットワークを選択するステップを含む、請求項２に記載の方法。
【請求項５】
ステップＢが、
−  （Ｓ６０２）複数の受動光ネットワークのうち受動光ネットワークにそれぞれ対応する光回線終端装置から送信された負荷報告メッセージを受信するステップであって、負荷報告メッセージがそれぞれ、対応する受動光ネットワークの負荷情報を含む、受信するステップと、
−  受信した負荷報告メッセージからそれぞれ、受動光ネットワークそれぞれの負荷報告情報を決定するステップとを含む、請求項２に記載の方法。
【請求項６】
負荷情報が、
−  対応する受動光ネットワーク中の光ネットワークユニットそれぞれの負荷情報と、
−  対応する受動光ネットワークのＧＥＭポートそれぞれの負荷情報と、
−  対応する受動光ネットワークのトラフィックコンテナそれぞれの負荷情報のうちいずれか１つを含む、請求項５に記載の方法。
【請求項７】
ステップＤ以前に、方法が、
Ａ１．（Ｓ２０１）光分配ネットワークをそれぞれ共有する複数の受動光ネットワークのうち受動光ネットワークそれぞれに対応する光回線終端装置から送信された第１の登録メッセージを受信するステップであって、第１の登録メッセージがそれぞれ、対応する受動光ネットワークの波長情報を含む、第１の登録メッセージを受信するステップと、
Ａ２．（Ｓ２０４）受動光ネットワークにそれぞれ対応する光回線終端装置からそれぞれ送信される第２の登録メッセージを受信するステップであって、第２の登録メッセージがそれぞれ、対応する受動光ネットワーク中の１つまたは複数の光ネットワークユニットのうち光ネットワークユニットそれぞれの第３の識別子情報を含む、第２の登録メッセージを受信するステップと、
光ネットワークユニットそれぞれの第３の識別子情報から、光ネットワークユニットそれぞれの第１の識別子情報および第２の識別子情報を決定するステップとをさらに含む、請求項１に記載の方法。
【請求項８】
ターゲット受動光ネットワークに対応するターゲット光回線終端装置で、ソース受動光ネットワーク中の第１の光ネットワークユニットの、ターゲット受動光ネットワークへの移転をサポートする方法において、ソース受動光ネットワークおよびターゲット受動光ネットワークが光分配ネットワークを共用し、
−  （Ｓ６０４）コーディネータから第１の移転メッセージを受信するステップであって、第１の移転メッセージが、第１の光ネットワークユニットの第１の識別子情報を含む、受信するステップと、
−  （Ｓ６０８）受信した第１の移転メッセージに従ってターゲット受動光ネットワーク中の第１の光ネットワークユニットをアクティブ化するステップとを含む、方法。
【請求項９】
方法が、
−  （Ｓ６０１）ソース受動光ネットワークの負荷情報を取得するステップと、
−  （Ｓ６０２）コーディネータに負荷報告メッセージを送信するステップであって、負荷報告メッセージがソース受動光ネットワークの負荷情報を含む、送信するステップとをさらに含む、請求項８に記載の方法。
【請求項１０】
方法が、
−  （Ｓ２０１）コーディネータに第１の登録メッセージを送信するステップであって、第１の登録メッセージがターゲット受動光ネットワークの波長情報を含む、第１の登録メッセージを送信するステップと、
−  （Ｓ２０４）コーディネータに第２の登録メッセージを送信するステップであって、第２の登録メッセージが、ターゲット受動光ネットワーク中の１つまたは複数の光ネットワークユニットのうち光ネットワークユニットそれぞれの第３の識別子情報を含む、第２の登録メッセージを送信するステップとをさらに含む、請求項８に記載の方法。
【請求項１１】
ソース受動光ネットワークに対応するソース光回線終端装置で、ソース受動光ネットワーク中の第１の光ネットワークユニットの、ターゲット受動光ネットワークへの移転をサポートする方法において、ソース受動光ネットワークおよびターゲット受動光ネットワークが、光分配ネットワークを共用し、方法が、
ａ．（Ｓ６０５）コーディネータから第２の移転メッセージを受信するステップであって、第２の移転メッセージが、第１の光ネットワークユニットの第２の識別子情報およびターゲット受動光ネットワークの波長情報を含む、受信するステップと、
ｂ．（Ｓ６０６）第１の光ネットワークユニットに移転命令を送信するステップであって、移転命令が、第１の光ネットワークユニットの第２の識別子情報およびターゲット受動光ネットワークの波長情報を含む、送信するステップと、
ｃ．（Ｓ６０７）ソース受動光ネットワーク中の第１の光ネットワークユニットを非アクティブ化するステップとを含む、方法。
【請求項１２】
ソース受動光ネットワーク中のアクティブな光ネットワークユニットが全くないとき、ソース受動光ネットワークの電源がオフになる、請求項１１に記載の方法。
【請求項１３】
方法が、
−  （Ｓ６０１）ソース受動光ネットワークの負荷情報を取得するステップと、
−  （Ｓ６０２）コーディネータに負荷報告メッセージを送信するステップであって、負荷報告メッセージがソース受動光ネットワークの負荷情報を含む、送信するステップとをさらに含む、請求項１１に記載の方法。
【請求項１４】
方法が、
−  （Ｓ２０１）コーディネータに第１の登録メッセージを送信するステップであって、第１の登録メッセージがソース受動光ネットワークの波長情報を含む、第１の登録メッセージを送信するステップと、
−  （Ｓ２０４）コーディネータに第２の登録メッセージを送信するステップであって、第２の登録メッセージが、ソース受動光ネットワーク中の１つまたは複数の光ネットワークユニットのうち光ネットワークユニットそれぞれの第３の識別子情報を含む、第２の登録メッセージを送信するステップとをさらに含む、請求項１１に記載の方法。
【請求項１５】
ソース受動光ネットワーク中の第１の光ネットワークユニットで、第１の光ネットワークユニットの、ターゲット受動光ネットワークへの移転をサポートする方法において、ソース受動光ネットワークおよびターゲット受動光ネットワークが、光分配ネットワークを共用し、方法が、
−  ソース受動光ネットワークに対応する光回線終端装置から移転命令を受信するステップであって、移転命令が、第１の光ネットワークユニットの第２の識別子情報およびターゲット受動光ネットワークの波長情報を含む、受信するステップと、
−  ターゲット受動光ネットワークの波長情報に従って、第１の光ネットワークユニットが使用する波長を同調させるステップとを含む、方法。
【発明の詳細な説明】
【技術分野】
【０００１】
本開示は、多波長（ＭＷ：Ｍｕｌｔｉｐｌｅ  Ｗａｖｅｌｅｎｇｔｈ）受動光ネットワーク（ＰＯＮ：Ｐａｓｓｉｖｅ  Ｏｐｔｉｃａｌ  Ｎｅｔｗｏｒｋ）システムに関し、詳細には、複数の受動光ネットワーク間の光ネットワークユニット（ＯＮＵ：Ｏｐｔｉｃａｌ  Ｎｅｔｗｏｒｋ  Ｕｎｉｔ）の移転をサポートする方法に関する。
【背景技術】
【０００２】
最近、ＦＳＡＮによって主催された標準会議では、時分割および波長分割多重化受動光ネットワーク（ＴＷＤＭ−ＰＯＮ：Ｔｉｍｅ  ａｎｄ  Ｗａｖｅｌｅｎｇｔｈ
Ｄｉｖｉｓｉｏｎ  Ｍｕｌｔｉｐｌｅｘｅｄ−Ｐａｓｓｉｖｅ  Ｏｐｔｉｃａｌ  Ｎｅｔｗｏｒｋ）が、次世代光アクセスシステム（ＮＧ−ＰＯＮ２：Ｎｅｘｔ  Ｇｅｎｅｒａｔｉｏｎ−Ｐａｓｓｉｖｅ  Ｏｐｔｉｃａｌ  Ｎｅｔｗｏｒｋ）の第１の解決策と考えられている。複数のＸＧ−ＰＯＮ（１０ギガビットＰＯＮまた１０ギガ受動光ネットワーク）がスタック接続されてＴＷＤＭ−ＰＯＮシステムとされる。その上、ＩＴＵ−Ｔ  Ｇ．ｍｕｌｔｉワーキングチームが、多波長受動光ネットワーク（ＭＷ−ＰＯＮ）も提案しており、これは、単一の光分配ネットワーク（ＯＤＮ：Ｏｐｔｉｃａｌ  Ｄｉｓｔｒｉｂｕｔｉｏｎ  Ｎｅｔｗｏｒｋ）で、各時分割多重受動光ネットワーク（ＴＤＭ−ＰＯＮ：Ｔｉｍｅ  Ｄｉｖｉｓｉｏｎ  Ｍｕｌｔｉｐｌｅｘｅｄ−Ｐａｓｓｉｖｅ  Ｏｐｔｉｃａｌ  Ｎｅｔｗｏｒｋｓ）に異なる波長を割り当てることによるいくつかのＴＤＭ−ＰＯＮのスタックである。ＴＤＭ−ＰＯＮには、Ｅ−ＰＯＮ、Ｇ−ＰＯＮ、ＸＧ−ＰＯＮ他が含まれ、その全てが単にＰＯＮと呼ばれる。したがって、ＴＷＤＭ−ＰＯＮシステムは、ＭＷ−ＰＯＮシステムと考えられうる。ＭＷ−ＰＯＮシステムでは、複数のＰＯＮが、時分割および波長分割を通してＯＤＮを共用し、ＯＤＮは、対応するＰＯＮに接続されるようにそのＯＤＮ自体の波長を同調させることができる。
【０００３】
ＭＷ−ＰＯＮシステムでは、複数のＰＯＮシステムが、ネットワークの配備および保守のコストを下げるためにＯＤＮを共用する。ただし、既存のＭＷ−ＰＯＮシステムでは、各ＰＯＮが、光回線終端装置（ＯＬＴ：Ｏｐｔｉｃａｌ  Ｌｉｎｅ  Ｔｅｒｍｉｎａｌ）とそれらに接続された複数のＯＮＵから成り、ＯＬＴとＯＮＵとの接続は固定される。結果として、既存のＭＷ−ＰＯＮシステムはアーキテクチャ上の柔軟性がない。
【発明の概要】
【発明が解決しようとする課題】
【０００４】
先の技術的問題の観点では、本発明の目的は、ＭＷ−ＰＯＮシステムの柔軟性を改善するために、複数のＰＯＮ間のＯＮＵの移転をサポートする方法を提供することである。
【課題を解決するための手段】
【０００５】
本発明の一態様によれば、ソースＰＯＮネットワーク中の第１の光ネットワークユニットの、ターゲットＰＯＮへの移転をサポートする方法が提供され、ソースＰＯＮおよびターゲットＰＯＮがＯＤＮを共用し、方法が、Ｄ．ターゲットＰＯＮに対応するターゲットＯＬＴに、第１の移転メッセージを送信するステップであって、第１の移転メッセージが第１のＯＮＵの第１の識別子情報を含む、第１の移転メッセージを送信するステップと、Ｅ．ソースＰＯＮに対応するソースＯＬＴに第２の移転メッセージを送信するステップであって、第２の移転メッセージが第１のＯＮＵの第２の識別子情報およびターゲットＰＯＮの波長情報を含む、第２の移転メッセージを送信するステップとを含む。
【０００６】
したがって、ＯＮＵは、それが位置するソースＰＯＮからターゲットＰＯＮに移転されて、それによって光ネットワークのアーキテクチャを動的に変更し、光ネットワークの柔軟性を改善することができる。
【０００７】
ここで、ＯＮＵの第１の識別子情報とは、同一のＯＤＮ中でＯＮＵを少なくとも一意に識別することが可能な任意の情報、たとえばＯＮＵの機器シーケンス番号を言う。ＯＮＵの第２の識別子情報とは、そのＯＮＵが位置するＰＯＮ中でＯＮＵを少なくとも一意に識別することが可能な任意の情報、たとえばそのＯＮＵが位置するＰＯＮ中でのＯＮＵの識別子を言う。第１の識別子情報およびＯＮＵの識別子情報は、同一とすることができ、たとえばその両方がＯＮＵの機器シーケンス番号とすることができる。ＰＯＮの波長情報とは、ＰＯＮによって使用される波長を示すことが可能な任意の情報を言う。たとえば、波長情報は、アップストリーム波長コードとダウンストリーム波長コードとを含むことができる。
【０００８】
任意選択で、まず移転される第１のＯＮＵ、ソースＯＮＵおよびターゲットＰＯＮが、選択され決定されうる。これは、多数の方式で達成されうる。一例では、第１のＯＮＵが移転リクエストを作成し、ターゲットＰＯＮを指定する。たとえば、ＰＯＮがそれぞれ別々のオペレータに属する場合にはオペレータが入れ替わるので、ＯＮＵが、元のＰＯＮから現行のオペレータに属するＰＯＮへ移転されることを要求する。別の例では、まず第１のＯＮＵが移転リクエストを作成し、次いでコーディネータが、適切なターゲットＰＯＮを選択する。さらに別の例では、コーディネータが、第１のＯＮＵ、ソースＯＮＵおよびターゲットＰＯＮを決定する。
【０００９】
本発明の特定の実施形態によれば、ステップＤ以前に、方法が、Ｂ．ＯＤＮを共用する複数のＰＯＮのうちＰＯＮそれぞれの負荷情報を取得するステップと、Ｃ．ＰＯＮそれぞれの負荷情報および既定の移転ポリシーに従って、第１のＯＮＵ、ソースＰＯＮおよびターゲットＰＯＮを選択するステップとをさらに含む。
【００１０】
ここで、ＰＯＮの負荷情報とは、ＰＯＮの負荷を示すことが可能な任意の情報を言う。たとえば、ＰＯＮの負荷情報が、ＰＯＮ中のＯＮＵそれぞれの負荷情報、ＰＯＮのＧ−ＰＯＮカプセル化メソッド（ＧＥＭ）ポートそれぞれの負荷情報またはＰＯＮのトラフィックコンテナ（Ｔ−ＣＯＮＴ）それぞれの負荷情報を含むことができる。ＰＯＮの負荷情報が、ＰＯＮのＯＮＵそれぞれの負荷情報である場合には、ＰＯＮのＯＬＴは、ＯＮＵそれぞれの負荷報告を追加の処理をすることなく直接転送して、それによって可能な限りＯＬＴの複雑さを少なくすることができる。
【００１１】
さらに様々な異なる移転ポリシーが採用されうる。一例では、より大きい負荷をもつＰＯＮ中のＯＮＵが、より小さい負荷をもつＰＯＮに移転されて、それによって負荷分散を容易にすることができる。別の例では、より小さい負荷をもつＰＯＮ中のＯＮＵの全てが、別のＰＯＮに移転され、より小さい負荷をもつＰＯＮの電源をオフにして、それによって帯域幅およびエネルギーの利用の改善を容易にすることができる。
【００１２】
本発明の特定の実施形態によれば、既定の移転ポリシーが、複数のＰＯＮから既定の閾値より小さい負荷をもつソースＰＯＮを選択することと、第１のＯＮＵをターゲットＰＯＮに移転することが可能であることを用いて、複数のＰＯＮのうちソースＰＯＮ以外の他のＰＯＮからターゲットＰＯＮを選択することと、ソースＰＯＮ中の１つまたは複数のＯＮＵのうちのいずれか１つである第１のＯＮＵとを含む。
【００１３】
任意選択で、ＰＯＮ中にＯＮＵが全くないとき、ＰＯＮに対応するＯＬＴの電源が自動的にオフになる。加えてまたは別法では、方法が、ＰＯＮ中にＯＮＵが全くないとき、ＰＯＮに対応するＯＬＴの電源が自動的にオフになるように命令するステップをさらに含む。
【００１４】
本発明の特定の実施形態によれば、ステップＣ以前に、方法が、既定のグループ化ポリシーに従って、少なくとも１つのグループを決定するステップであって、各グループが複数のＰＯＮのうち少なくとも２つのＰＯＮを含む、決定するステップをさらに含み、ステップＣが、ソースＰＯＮが属するグループからターゲットＰＯＮを選択するステップを含む。
【００１５】
したがって、ＯＮＵの移転は、同一グループ内のＰＯＮに限定されうる。
【００１６】
さらに様々なグループ化ポリシーが採用されうる。一例では、ＯＤＮがＴＷＤＭ−ＰＯＮによって共有され、各ＴＷＤＭ−ＰＯＮが、複数のＰＯＮを含み、同一のＴＷＤＭ−ＰＯＮに属するＰＯＮが、グループを構成する。別の例では、同一のＴＷＤＭ−ＰＯＮ中の複数のＰＯＮが、別々のグループにグループ化されうる。たとえば、同一のＴＷＤＭ−ＰＯＮのＰＯＮがそれぞれ別々のオペレータに属する場合に、同一のオペレータのＰＯＮが、１グループにグループ化されうる。
【００１７】
本発明の特定の実施形態によれば、ＰＯＮそれぞれの負荷情報が、ＰＯＮにそれぞれ対応するＯＬＴによって報告される。特に、ステップＢが、複数のＰＯＮのうちＰＯＮにそれぞれ対応するＯＬＴから送信された負荷報告メッセージを受信するステップであって、負荷報告メッセージがそれぞれ、対応するＰＯＮの負荷情報を含む、受信するステップと、受信した負荷報告メッセージからそれぞれ、ＰＯＮそれぞれの負荷報告情報を決定するステップとを含む。
【００１８】
任意選択で、ＰＯＮがそれぞれ、定期的に負荷報告メッセージを自動的に送信、またはリクエストに応答して負荷報告メッセージを送信することができる。
【００１９】
本発明の特定の実施形態によれば、ステップＤ以前に、方法が、Ａ１．ＯＤＮをそれぞれ共用する複数のＰＯＮのうちＰＯＮにそれぞれ対応するＯＬＴから送信された第１の登録メッセージを受信するステップであって、第１の登録メッセージがそれぞれ、対応するＰＯＮの波長情報を含む、第１の登録メッセージを受信するステップと、Ａ２．ＰＯＮにそれぞれ対応するＯＬＴからそれぞれ送信される第２の登録メッセージを受信するステップであって、第２の登録メッセージがそれぞれ、対応するＰＯＮ中の１つまたは複数のＯＮＵのうちＯＮＵそれぞれの第３の識別子情報を含む、第２の登録メッセージを受信するステップと、ＯＮＵそれぞれの第３の識別子情報から、ＯＮＵそれぞれの第１の識別子情報および第２の識別子情報を決定するステップとをさらに含む。
【００２０】
ここで、ＯＮＵの第３の識別子情報とは、第１の識別子情報および第２の識別子情報がそこから導き出されうるような任意の情報を言う。第１の識別子情報が、ＯＮＵの機器シーケンス番号であり、第２の識別子情報が、ＯＮＵが位置するＰＯＮ中のＯＮＵの識別子情報の場合、第３の識別子情報は、ＯＮＵの機器シーケンス番号とＯＮＵが位置するＰＯＮ中のＯＮＵの識別子情報との組合せとすることができる。第３の識別子情報は、第１の識別子情報および第２の識別子情報の両方が同一の場合には、第１の識別子情報および第２の識別子情報と同一とすることもできる。
【００２１】
任意選択で、方法が、ターゲットＰＯＮに対応するＯＬＴから送信された第３の登録メッセージを受信するステップをさらに含み、第３の登録情報が、第１のＯＮＵの第３の識別子情報を含む。第３の登録情報は、第１のＯＮＵがターゲットＰＯＮでアクティブ化された、すなわち、第１のＯＮＵがターゲットＰＯＮに移転されたことを示す。一例では、第３の登録メッセージが、第２の登録メッセージと同一のメッセージとすることができる。
【００２２】
別法では、ターゲットＰＯＮに対応するＯＬＴからのフィードバック情報がない場合、これが、第１のＯＮＵがターゲットＰＯＮへの移転されたことが成功したことを示すように、第１のＯＮＵがターゲットＰＯＮへの移転が異常終了のときのみ、ターゲットＰＯＮに対応するＯＬＴがフィードバックメッセージを送信することができる。
【００２３】
本発明の別の態様によれば、ターゲットＰＯＮに対応するターゲットＯＬＴで、ソースＰＯＮ中の第１のＯＮＵの、ターゲットＰＯＮへの移転をサポートする方法が提供され、ソースＰＯＮおよびターゲットＰＯＮが、ＯＤＮを共用し、方法が、コーディネータから第１の移転メッセージを受信するステップであって、第１の移転メッセージが、第１のＯＮＵの第１の識別子情報を含む、受信するステップと、受信した第１の移転メッセージに従ってターゲットＰＯＮ中の第１のＯＮＵをアクティブ化するステップとを含む。
【００２４】
本発明の別の態様によれば、ソースＰＯＮに対応するソースＯＬＴで、ソースＰＯＮ中の第１のＯＮＵの、ターゲットＰＯＮへの移転をサポートする方法が提供され、ソースＰＯＮおよびターゲットＰＯＮが、ＯＤＮを共用し、方法が、ａ．コーディネータから第２の移転メッセージを受信するステップであって、第２の移転メッセージが、第１のＯＮＵの第２の識別子情報およびターゲットＰＯＮの波長情報を含む、受信するステップと、ｂ．第１のＯＮＵに移転命令を送信するステップであって、移転命令が、第１のＯＮＵの第２の識別子情報およびターゲットＰＯＮの波長情報を含む、送信するステップと、ｃ．ソースＰＯＮ中の第１のＯＮＵを非アクティブ化するステップとを含む。
【００２５】
本発明の別の態様によれば、ソースＰＯＮの第１のＯＮＵで、第１のＯＮＵの、ターゲットＰＯＮへの移転をサポートする方法が提供され、ソースＰＯＮおよびターゲットＰＯＮが、ＯＤＮを共用し、方法が、ソースＰＯＮに対応するＯＬＴから移転命令を受信するステップであって、移転命令が、第１のＯＮＵの第２の識別子情報およびターゲットＰＯＮの波長情報を含む、受信するステップと、ターゲットＰＯＮの波長情報に従って、第１のＯＮＵが使用する波長を同調させるステップとを含む。
【００２６】
本発明の別の態様によれば、ソースＰＯＮネットワーク中の第１の光ネットワークユニットの、ターゲットＰＯＮへの移転をサポートするコーディネータが提供され、ソースＰＯＮおよびターゲットＰＯＮが、ＯＤＮを共用し、コーディネータが、第１の移転メッセージをターゲットＰＯＮに対応するターゲットＯＬＴに送信するように構成された第１の送信ユニットであって、第１の移転メッセージが、第１のＯＮＵの第１の識別子情報を含む、第１の送信ユニットと、第２の移転メッセージをソースＰＯＮに対応するソースＯＬＴに送信するように構成された第２の送信ユニットであって、第２の移転メッセージが、第１のＯＮＵの第２の識別子情報およびターゲットＰＯＮの波長情報を含む、第２の送信ユニットとを含む。
【００２７】
コーディネータは、論理エンティティとすることができ、ＭＷ−ＰＯＮアクセスノード、ネットワークアクセスサーバ（ＮＡＳ）およびポリシーサーバのうちのいずれか１つによって実施されうる。別法では、コーディネータは、分離エンティティとすることができる。
【００２８】
本発明の他の特徴、目的および利点は、図面を参照しながら限定しない実施形態の次の詳細な説明からより明らかになるであろう。
【図面の簡単な説明】
【００２９】
【図１】アクセスネットワークであるＭＷ−ＰＯＮ、ネットワークアクセスサーバおよびポリシーサーバを含む、典型的な光ネットワークの概略的なアーキテクチャの図である。
【図２】本発明の特定の実施形態による、ＰＯＮを登録およびグループ化する方法の流れ図である。
【図３】本発明の特定の実施形態による、第１の登録メッセージを示す概略図である。
【図４】本発明の特定の実施形態による、グループ化応答メッセージを示す概略図である。
【図５】本発明の特定の実施形態による、第２の登録メッセージを示す概略図である。
【図６】本発明の特定の実施形態による、第１のＯＮＵをターゲットＰＯＮに移転させる方法を示す流れ図である。
【図７ａ】本発明の特定の実施形態による、負荷報告メッセージを示す概略図である。
【図７ｂ】本発明の特定の実施形態による、負荷報告メッセージを示す概略図である。
【図８】本発明の特定の実施形態による、第１の移転メッセージを示す概略図である。
【図９】本発明の特定の実施形態による、第２の移転メッセージを示す概略図である。
【発明を実施するための形態】
【００３０】
全図面を通して、同じまたは類似の参照番号は、同じまたは類似の特徴および／またはデバイス／モジュールを表記する。
【００３１】
図１に、アクセスネットワークであるＭＷ−ＰＯＮ１００、ネットワークアクセスサーバ（ＮＡＳ）２００およびポリシーサーバ３００を含む典型的な光ネットワークの概略的なアーキテクチャの図を示す。ネットワークアクセスサーバ２００は、複数のアクセスノードからトラフィックを集約するネットワーク要素である。ネットワークアクセスサーバは、ポリシー管理の実施ポイントおよびアクセスネットワーク中のＩＰサービス品質（ＱｏＳ）保証となりうる。ネットワークアクセスサーバは、広帯域ネットワークゲートウェイ（ＢＮＧ）または広帯域遠隔アクセスサーバ（ＢＲＡＳ）とも呼ばれる。各アクセスノードは、ＭＷ−ＰＯＮに対応する。図１には１つのＭＷ−ＰＯＮのみが示されているが、ネットワークアクセスサーバ２００は、複数のアクセスノードひいては複数のＭＷ−ＰＯＮに接続することができ、複数のＭＷ−ＰＯＮはＯＤＮ１３０の共用が可能であることが当業者には理解されよう。ＭＷ−ＰＯＮ技術を用いて、アクセスノードが、複数のスタック接続されたＯＬＴを含み、各ＯＬＴがＯＤＮを通して複数のＯＮＵに接続され、それらに接続されたＯＮＵと連携した各ＯＬＴが、ＰＯＮを構成する。図１に示すように、アクセスノード１１０は、スタック接続されたＯＬＴ１１１とＯＬＴ１１２とを含む。ＯＮＵ１２１およびＯＮＵ１２３と連携するＯＬＴ１１１は、ＰＯＮ１４１を構成する。ＯＮＵ１２２およびＯＮＵ１２４と連携するＯＬＴ１１２は、ＰＯＮ１４２を構成する。ＰＯＮ１４１によって使用されるダウンストリーム波長およびアップストリーム波長を、それぞれλｄ‐１およびλｕ‐１とする。ＰＯＮ１４２によって使用されるダウンストリーム波長およびアップストリーム波長が、それぞれλｄ‐２およびλｕ‐２とする。相応してＰＯＮ１４１およびＰＯＮ１４２は、ＭＷ−ＰＯＮ１００を構成する。先の要旨は当業者には知られておりしたがってここでは簡単に述べるだけとする。
【００３２】
上記の説明のように、本発明は、ソースＰＯＮ中の第１のＯＮＵの、ターゲットＰＯＮへの移転をサポートするための方法および対応するコーディネータを提案するものである。これ以降、コーディネータは、ＰＯＮ間コーディネータ（ｉｎｔｅｒ−ＰＯＮ  ｃｏｏｒｄｉｎａｔｏｒ）または単にＩＰＣと呼ぶものとする。ＩＰＣは、論理エンティティとすることができる。ＩＰＣは、本発明による多くの方式で配備されうる。図１に示すように、ＩＰＣ４００は、次のように配備されうるがこれに限定しない：
オプション１：ＩＰＣはアクセスノードで実施される。
オプション２：ＩＰＣはＮＡＳで実施される。
オプション３：ＩＰＣはポリシーサーバで実施される。
【００３３】
ＩＰＣは、実践に必要な適切な方式で配備されうる。オプション２について、一般性を失わない一例として以下に挙げるが、オプション１およびオプション３も同様に実施されうることが当業者には理解されよう。ＩＰＣとＯＬＴそれぞれとの間の通信は、以下ではリンク層（層２）制御チャネルを通じて実行されるが、代替としてＩＰＣとそれぞれのＯＬＴとの間の通信が、別の適切なチャネルを通じて実行されうることも当業者には理解されよう。
【００３４】
本発明の特定の実施形態については、図２から図９を参照しながら以下で説明する。ソースＰＯＮからターゲットＰＯＮへの第１のＯＮＵの移転は、この実施形態ではＩＰＣによってトリガーされる。具体的には、ＩＰＣが、ＰＯＮそれぞれの負荷情報および既定の移転ポリシーに従って、移転される第１のＯＮＵ、ソースＰＯＮおよびターゲットＰＯＮを選択する。
【００３５】
図２に、本発明の特定の実施形態による、ＰＯＮを登録およびグループ化する方法の流れ図を示す。
【００３６】
まず、対応する接続が、開始プロセスで、ＮＡＳのＩＰＣ４００、ＯＬＴ１１１、ＯＬＴ１１２および対応するＯＮＵ１２１―１２４との間で確立される。図２に示すように開始プロセスは、ＯＮＵアクティブ化と、同期と、ＯＮＵ  ＩＤ割当てと、リンク層（レイヤー２）制御隣接およびチャネル確立とを含む。
【００３７】
次に、ステップＳ２０１で、ＯＤＮを共用する複数のＰＯＮのうちＰＯＮそれぞれに対応するＯＬＴが、第１の登録メッセージをＩＰＣ４００に送信し、第１の登録メッセージがそれぞれ、対応するＰＯＮの波長情報を含む。具体的には、ＯＬＴ１１１が、対応するＰＯＮ１４１のそれぞれのＯＮＵの情報をＩＰＣ４００に通知するために、第１の登録メッセージをＩＰＣ４００に送信する。第１の登録メッセージは、ＯＬＴ１１１が位置するＭＷ−ＰＯＮ１００の識別子情報およびＯＬＴ１１１に対応するＰＯＮ１４１の波長情報を含む。ＭＷ−ＰＯＮ１００の識別子情報は、たとえばＭＷ−ＰＯＮの識別子または名称（ＭＷ−ＰＯＮ＿ＩＤ／Ｎａｍｅ）である。ＰＯＮ１４１の波長情報は、ＰＯＮ１４１によって使用される、ダウンストリーム波長λｄ‐１とアップストリーム波長λｕ‐１とをそれぞれ示す、ダウンストリーム波長コード（λｄ‐ｃｏｄｅ）およびアップストリーム波長コード（λｕ‐ｃｏｄｅ）である。同様に、ＯＬＴ１１２も、第１の登録メッセージをＩＰＣ４００に送信する。任意選択で、第１の登録メッセージが、テンポラリＰＯＮ識別子（Ｔｅｍｐ  ＰＯＮ＿ＩＤ）をさらに含むことができる。テンポラリＰＯＮ識別子は、それ自体のＰＯＮ用にＭＷ−ＰＯＮによってそれぞれ割り当てられる。通常、テンポラリＰＯＮ識別子は、ＭＷ−ＰＯＮ中でのみユニークである。
【００３８】
ステップＳ２０２では、ＩＰＣ４００が、既定のグループ化ポリシーに従って、少なくとも１つのグループを決定し、各グループが、少なくとも２つのＰＯＮを含む。この実施形態では、グループポリシーは、同一のＭＷ−ＰＯＮに属するＰＯＮが１グループにグループ化され、そのためＩＰＣ４００がＰＯＮ１４１とＰＯＮ１４２とを同一グループにグループ化するということである。さらに、ＩＰＣ４００が、グループごとにグループ識別子（Ｇｒｏｕｐ＿ＩＤ）をさらに割り当てる。上記の説明のように、テンポラリＰＯＮ識別子が、ＭＷ−ＰＯＮ中でのみユニークであり、別々のＭＷ−ＰＯＮ中のＰＯＮは、同一のテンポラリＰＯＮ識別子を備えてもよい。ＰＯＮをそれぞれ一意に識別するために、ＩＰＣ４００はＰＯＮごとにＰＯＮ識別子（ＰＯＮ＿ＩＤ）をさらに割り当てる。
【００３９】
ステップＳ２３０では、ＩＰＣ４００が、グループ化応答メッセージをＯＬＴ１１１に送信し、グループ化応答メッセージが、グループ識別子とＰＯＮ１４１のＰＯＮ識別子とを含む。同様にＩＰＣ４００が、対応するグループ化応答メッセージ（図示せず）をＯＬＴ１１２に送信する。
【００４０】
ステップＳ２０４では、ＰＯＮにそれぞれ対応するＯＬＴが、第２の登録メッセージをＩＰＣ４００に送信し、第２の登録メッセージがそれぞれ、対応するＰＯＮ中の１つまたは複数のＯＮＵのうちＯＮＵそれぞれの第３の識別子情報を含み、ＯＮＵそれぞれの第１の識別子情報および第２の識別子情報が、ＯＮＵそれぞれの第３の識別子情報から決定される。この実施形態では、第１の識別子情報が、ＯＮＵの機器シーケンス番号であり、第２の識別子情報が、ＯＮＵの識別子であり、第３の識別子情報が、ＯＮＵの機器シーケンス番号と、ＯＮＵの識別子とを含む。具体的には、ＯＬＴ１１１が、対応するＰＯＮ１４１中のＯＮＵそれぞれの情報をＯＰＣ４００に通知するために、第２の登録メッセージをＩＰＣ４００に送信する。第２の登録メッセージが、複数の四つ組を含み、各四つ組がＯＮＵの情報に対応する。各四つ組は、ＯＮＵが位置するＰＯＮのグループ識別子（Ｇｒｏｕｐ  ＩＤ）と、ＯＮＵが位置するＰＯＮの識別子（ＰＯＮ＿ＩＤ）と、ＯＮＵの機器シーケンス番号（ＯＮＵ＿ＳＮ）と、ＯＮＵの識別子（ＯＮＵ＿ＩＤ）とを含む。同様に、ＯＬＴ１１２も、第２の登録メッセージ（図示せず）をＩＰＣ４００に送信する。
【００４１】
ステップＳ２０５では、ＩＰＣ４００が、受信した第２の登録メッセージに従ってＯＮＵ登録テーブルを作成し、各エントリが、ＯＮＵの四つ組とする。別の実施形態では、代替的に、ＩＰＣ４００が別の適切な方式でＯＮＵそれぞれの情報を格納する。
【００４２】
第１の登録メッセージ、グループ化応答メッセージおよび第２の登録メッセージは、様々な適切な方式で実施されうる。たとえば、これらのメッセージは、アクセスノード制御プロトコル（ＡＮＣＰ）メッセージで作られる。
【００４３】
図３から図５にそれぞれ、本発明の特定の実施形態による、第１の登録メッセージ、グループ化応答メッセージおよび第２の登録メッセージの概略図を示す。
【００４４】
具体的には、第１の登録メッセージ、グループ化応答メッセージおよび第２の登録メッセージが、拡張ＡＮＣＰメッセージで実施される。次の説明の簡略化のために、ＡＮＣＰメッセージの拡張部分のみについて説明し、ＡＣＮＰメッセージの既存のフィールドの説明については省略する。ＡＣＮＰメッセージの既存のフィールドには、バージョン、結果、結果コード、パーティションＩＤ、トランザクション識別子、サブメッセージ番号および長さが含まれる。
【００４５】
図３を参照すると、第１の登録メッセージが、新たに提案されたＡＮＣＰ汎用メッセージで実施されうる。ＡＮＣＰ汎用メッセージは、メッセージタイプと、４つのタイプ−長さ−値（ＴＬＶ）フィールドとを含み、そのうちの１つは任意選択である。メッセージタイプは、そのメッセージが第１の登録メッセージであることを示す。４つのＴＬＶフィールドがそれぞれ：
−  ＭＷ−ＰＯＮの識別子または名称を示す、ＭＷ−ＰＯＮ指示（ＭＷ−ＰＯＮ）ＴＬＶ、
−  ＰＯＮのテンポラリＰＯＮ識別子を示す、テンポラリＰＯＮ識別子（Ｔｅｍｐ  ＰＯＮ＿ＩＤ）（任意選択）、
−  ＰＯＮによって使用されるダウンストリーム波長を示す、ダウンストリーム波長コード（λｄ‐ｃｏｄｅ）ＴＬＶ、
−  ＰＯＮによって使用されるアップストリーム波長を示す、アップストリーム波長コード（λｕ‐ｃｏｄｅ）ＴＬＶ、
である。
【００４６】
特に、テンポラリＰＯＮ識別子は、任意選択のフィールドであり、ＰＯＮに対応するＯＬＴによっていずれのテンポラリＰＯＮ識別子も生成されないとき、このフィールドは省略されうる。
【００４７】
各ＴＬＶフィールドが、３つのサブフィールドすなわちＴＬＶタイプ、ＴＬＶ長さおよびＴＬＶ値を含む。ＴＬＶタイプは、ＴＬＶ値サブフィールドのデータのタイプを示す１６ビットサブフィールドである。ＴＬＶ長さは、ＴＬＶ値サブフィールドのデータの長さ（いずれのパディングも除外）を示す１６ビットサブフィールドである。ＴＬＶが別のＴＬＶを含む場合、含まれるＴＬＶのいずれのパディングも考慮されるべきである。ＴＬＶ値サブフィールドは、ＴＬＶで作られたデータを含む長さ可変サブフィールドである。
【００４８】
図４を参照すると、グループ化応答メッセージが、新たに提案されたＡＮＣＰ汎用メッセージで実施されうる。ＡＮＣＰ汎用メッセージは、メッセージタイプと、２つのＴＬＶフィールドとを含む。メッセージタイプは、そのメッセージがグループ化応答メッセージであることを示す。２つのＴＬＶフィールドがそれぞれ：
−  ＰＯＮが属するグループの識別子を示す、グループ識別子（Ｇｒｏｕｐ  ＩＤ）ＴＬＶ、
−  ＰＯＮの識別子を示す、ＰＯＮ識別子（ＰＯＮ＿ＩＤ）ＴＬＶ、
である。
【００４９】
図５を参照すると、第２の登録メッセージが、新たに提案されたＡＮＣＰ汎用メッセージで実施されうる。ＡＮＣＰ汎用メッセージは、メッセージタイプと、１つまたは複数のＯＮＵ登録テーブルエントリＴＬＶフィールドとを含む。メッセージタイプは、そのメッセージが第２の登録メッセージであることを示す。各ＯＮＵ登録テーブルエントリＴＬＶフィールドは、ＩＰＣによって作成されたＯＮＵ登録テーブルのエントリの情報を示す。各ＯＮＵ登録テーブルエントリＴＬＶフィールドは、グループ識別子（Ｇｒｏｕｐ  ＩＤ）、ＰＯＮ識別子（ＰＯＮ＿ＩＤ）、ＯＮＵ機器シーケンス番号（ＯＮＵ＿ＳＮ）、ＯＮＵ識別子（ＯＮＵ＿ＩＤ）を含む四つ組とすることができる。
【００５０】
図６に、本発明の特定の実施形態による、第１のＯＮＵをターゲットＰＯＮに移転させる方法の流れ図を示す。
【００５１】
ステップＳ６０１では、ＯＬＴ１１１およびＯＬＴ１１２が、それぞれ対応するＰＯＮ（すなわちＰＯＮ１４１およびＰＯＮ１４２）の負荷情報を取得する。具体的には、負荷情報が、アップストリームトラフィック負荷を示す情報と、ダウンストリームトラフィック負荷を示す情報とを含むことができる。たとえば、ＯＬＴが次のように負荷情報を取得することができる。アップストリームトラフィック負荷の場合、動的帯域幅報告アップストリーム（ＤＢＲｕ：Ｄｙｎａｍｉｃ  Ｂａｎｄｗｉｄｔｈ  Ｒｅｐｏｒｔ  ｕｐｓｔｒｅａｍ）が、各割当て識別子（Ａｌｌｏｃ−ＩＤ）に関連する論理バッファ中のデータの総量を示すので、ＯＬＴは、ＤＢＲｕから関係する情報を取得することができる。ダウンストリームトラフィック負荷の場合、ＯＬＴは、各ＧＥＭポートを介して送信されたデータの総量から関係する情報を取得することができる。
【００５２】
ステップＳ６０２では、ＯＬＴ１１１が、ＩＰＣ４００に１つまたは複数のエントリを含む負荷報告メッセージを送信する。各エントリは、対応するＰＯＮ中のＯＮＵの負荷情報を示す。具体的には、各エントリが、対応するＰＯＮ（すなわちＰＯＮ１４１）のグループ識別子と、対応するＰＯＮのＰＯＮ識別子と、ＯＮＵのＯＮＵ識別子と、ＯＮＵのアップストリーム負荷情報と、ＯＮＵのダウンストリーム負荷情報とを含む多要素グループを含む。ＩＰＣ４００は、負荷メッセージを受信すると、対応するＰＯＮ中ＯＮＵそれぞれの含まれる負荷情報から全ＰＯＮの負荷情報を導き出す。同様にＯＬＴ１１２が、ＩＰＣ４００に負荷報告メッセージを送信する。
【００５３】
ステップＳ６０３では、ＩＰＣ４００が、受信した負荷情報および既定の移転ポリシーに従って、移転されるＯＮＵ、ソースＰＯＮおよびターゲットＰＯＮを選択する。この実施形態では、ＰＯＮ１４１の負荷情報が、ＰＯＮ１４１が既定の閾値より小さい負荷をよりも小さいことを示しており、そのためＩＰＣ４００は、ＰＯＮ１４１中のＯＮＵの全て（ＯＮＵ１２１およびＯＮＵ１２３を含む）をＰＯＮ１４２に移転させることを決定し、その後ＰＯＮ１４１の電源をオフにする。
【００５４】
ステップＳ６０４では、ＩＰＣ４００が、ターゲットＰＯＮ１４２に対応するＯＬＴ１１２に第１の移転メッセージを送信し、第１の移転メッセージが、移転されるＯＮＵの第１の識別子情報を含む。第１の移転メッセージが、ターゲットＰＯＮの情報をさらに含むことができる。この実施形態では、第１の移転メッセージが、１つまたは複数の多要素グループを含むことができる。各多要素グループが、移転されるＯＮＵに対応し、ターゲットＰＯＮ１４２のグループ識別子と、ターゲットＰＯＮ１４２のＰＯＮ識別子と、移転されるＯＮＵの機器シーケンス番号と、移転されるＯＮＵのＯＮＵ識別子とを含む。具体的には、ここで、第１の移転メッセージが、ＯＮＵ１２１とＯＮＵ１２３にそれぞれ対応する、２つのこうした多要素グループを含む。ＯＬＴ１１２は、第１の移転メッセージを受信すると、ＯＮＵ１２１およびＯＮＵ１２３がそれに対応するＰＯＮ１４２に移転されることを知る。
【００５５】
ステップＳ６０５では、ＩＰＣ４００が、ソースＰＯＮ１４１に第２の移転メッセージを送信し、第２の移転メッセージが、移転されるＯＮＵの第２の識別子情報と、ターゲットＰＯＮ１４２の波長情報とを含む。この実施形態では、第２の移転メッセージが、１つまたは複数の多要素グループを含むことができる。各多要素グループが、移転されるＯＮＵに対応し、移転されるＯＮＵのＯＮＵ識別子と、ターゲットＰＯＮ１４２のＰＯＮ識別子と、ターゲットＰＯＮ１４２のダウンストリーム波長コードおよびアップストリーム波長コードとを含む。任意選択で、各多要素グループが、ソースＰＯＮ１４１のグループ識別子と、ソースＰＯＮ１４１のＰＯＮ識別子と、移転されるＯＮＵの機器シーケンス番号とをさらに含むことができる。ここで、ＯＮＵのＯＮＵ識別子が、ＯＮＵが位置するＰＯＮすなわちＰＯＮ１４１中でＯＮＵを一意に識別できるので、ＯＮＵの機器シーケンス番号は不要である。具体的には、ここで、第２の移転メッセージが、ＯＮＵ１２１およびＯＮＵ１２３にそれぞれ対応する、２つのこうした多要素グループを含む。ＯＬＴは、第２の移転メッセージを受信すると、ＯＮＵ１２１およびＯＮＵ１２３がターゲットＰＯＮ１４２に移転され、ＰＯＮ１４２がダウンストリーム波長コードおよびアップストリーム波長コードによって示された波長を使用することを知る。
【００５６】
ステップＳ６０６では、ＯＬＴ１１１が、移転されるＯＮＵに移転命令を送信し、移転命令が、移転されるＯＮＵの第２の識別子情報およびターゲットＰＯＮ１４２の波長情報を含む。具体的には、ＯＬＴ１１１が、ＯＮＵ１２１に移転命令を送信し、移転命令が、ＯＮＵ１２１のＯＮＵ識別子と、ターゲットＰＯＮ１４２のダウンストリーム波長コードおよびアップストリーム波長コードとを含む。同様に、ＯＬＴ１１１は、ＯＮＵ１２３に対応する移転命令（図示せず）を送信する。別の実施形態では、ＯＬＴ１１１が、対応するＰＯＮの移転命令をブロードキャストすることができ、移転命令は移転される複数のＯＮＵに命令を出す。
【００５７】
ＯＮＵ１２１は、対応する移転命令を受信すると、移転命令中のダウンストリーム波長コードとアップストリーム波長コードによってそれぞれ示されるターゲットＰＯＮ１４２のダウンストリーム波長とアップストリーム波長を知る。ステップＳ６０７では、ＯＮＵ１２１が移転命令を受信した後、ＰＯＮ１４１中のＯＮＵ１２１を非アクティブ化するために、ＯＮＵ非アクティブ化プロセスがＯＬＴ１１１とＯＮＵ１２１との間で実行される。その後、ＯＮＵ１２１は、ＰＯＮ１４２のダウンストリーム波長とアップストリーム波長に、それぞれ送信波長と受信波長を同調させる。同様に、ＯＮＵ１２３が移転命令を受信した後、ＰＯＮ１４１中のＯＮＵ１２３を非アクティブ化するために、ＯＮＵ非アクティブ化プロセスがＯＬＴ１１１とＯＮＵ１２３との間で実行され、ＯＮＵ１２３も、ＰＯＮ１４２のダウンストリーム波長とアップストリーム波長に、それぞれ送信波長と受信波長を同調させる。ソースＰＯＮ１４１中のＯＮＵの全て（ＯＮＵ１２１とＯＮＵ１２３とを含む）が非アクティブ化された後、ＯＬＴ１１１の電源がオフになる。
【００５８】
ステップＳ６０８では、ＯＮＵアクティブ化、同期およびＯＮＵ識別子割当てプロセスがＯＬＴ１１２とＯＮＵ１２１との間で実行されるが、これらのプロセスは従来技術では知られており、そのためここでその説明を繰り返すのは省略する。同様に、ＯＮＵアクティブ化、同期およびＯＮＵ識別子割当てプロセス（図示せず）が、ＯＬＴ１１２とＯＬＴ１２３との間でさらに実行される。ＯＮＵ識別子割当てプロセスを用いて、ＯＮＵ１２１およびＯＮＵ１２３が、新たなＯＮＵ識別子をそれぞれ取得する。これまでで、ＯＮＵ１２１およびＯＮＵ１２３は、ＯＬＴ１１２に対応するＰＯＮ１４２への移転に成功した。
【００５９】
ステップＳ６０９ではＯＬＴ１１２が、第３の登録メッセージをＩＰＣ４００に送信し、第３の登録メッセージが、移転されたＯＮＵの第３の識別子情報を含む。この実施形態では、第３の登録メッセージが、第２の登録メッセージと同一タイプのメッセージであり、複数の四つ組を含む。各四つ組がＯＮＵに対応し、各四つ組が、ＯＮＵが位置するＰＯＮのグループ識別子（Ｇｒｏｕｐ＿ＩＤ）と、ＯＮＵが位置するＰＯＮの識別子（ＰＯＮ＿ＩＤ）と、ＯＮＵの機器シーケンス番号（ＯＮＵ＿ＳＮ）と、ＯＮＵの識別子（ＯＮＵ＿ＩＤ）とを含む。ここで、当然ＯＮＵの識別子は、ターゲットＯＬＴによって割り当てられた新たなＯＮＵ識別子である。ＩＰ４００は、第３の登録メッセージを受信すると、含まれる四つ組を用いてＯＮＵ登録テーブルをアップデートする。
【００６０】
負荷報告メッセージ、第１の移転メッセージおよび第２の移転メッセージは、様々な適切な方式で実施されうる。たとえば、これらのメッセージは、ＡＮＣＰメッセージで作られうる。
【００６１】
図７から図９にそれぞれ、本発明の特定の実施形態による、負荷報告メッセージ、第１の移転メッセージおよび第２の移転メッセージの概略図を示す。具体的には、負荷報告メッセージ、第１の移転メッセージおよび第２の移転メッセージが、拡張ＡＮＣＰメッセージで実施される。
【００６２】
図７ａを参照すると、負荷報告メッセージが、新たに提案されたＡＮＣＰ汎用メッセージで実施されうる。ＡＮＣＰ汎用メッセージは、メッセージタイプと、１つまたは複数の負荷報告エントリＴＬＶとを含み、各エントリＴＬＶが、ＯＮＵの負荷を示す。各エントリは、グループ識別子（Ｇｒｏｕｐ＿ＩＤ）と、ＰＯＮ識別子（ＰＯＮ＿ＩＤ）と、ＯＮＵ機器シーケンス番号（ＯＮＵ＿ＳＮ）と、ＯＮＵの識別子（ＯＮＵ＿ＩＤ）と、アップストリーム負荷（ＵＳ＿ＬＯＡＤ）と、ダウンストリーム負荷（ＤＳ＿ＲＯＡＤ）とを含む。さらに、アップストリーム負荷およびダウンストリーム負荷が、図７ｂに示す負荷報告エントリＴＬＶのサブＴＬＶである。アップストリーム負荷およびダウンストリーム負荷は、タイプコードによって区別される。表１にタイプコードの一例を示す。
【００６３】
【表１】
2015530812.tif 000003
【００６４】
図８を参照すると、第１の移転メッセージが、新たに提案されたＡＮＣＰ汎用メッセージで実施されうる。ＡＮＣＰ汎用メッセージは、メッセージタイプと、１つまたは複数のＯＮＵ登録テーブルエントリＴＬＶフィールドとを含む。メッセージタイプは、このメッセージが、ターゲットＰＯＮにどのＯＮＵが移転されるかを通知するための第１の移転メッセージであることを示す。各ＯＮＵ登録テーブルエントリＴＬＶフィールドは、ＩＰＣ４００によって作成されたＯＮＵ登録テーブルのエントリの情報に対応する。ここで、ＯＮＵ登録テーブルエントリＴＬＶは、ＯＮＵの識別子情報として働く。第１の移転メッセージが複数のＯＮＵ登録テーブルエントリＴＬＶを含むとき、これは、ターゲットＰＯＮに移転される複数のＯＮＵがあるということを示す。
【００６５】
図９を参照すると、第２の移転メッセージが、新たに提案されたＡＮＣＰ汎用メッセージで実施されうる。ＡＮＣＰ汎用メッセージは、メッセージタイプと、１つまたは複数のターゲット指示エントリＴＬＶとを含む。メッセージタイプは、このメッセージが、ソースＰＯＮひいては移転されるＯＮＵに、ターゲットＰＯＮのＰＯＮ識別子およびターゲットＰＯＮの波長情報を通知するための第２の移転メッセージであることを示す。各ターゲット指示エントリは、移転されるＯＮＵのＯＮＵ識別子と、ターゲットＰＯＮのＰＯＮ識別子と、ターゲットＰＯＮ１４２のダウンストリーム波長コードと、ターゲットＰＯＮ１４２のアップストリーム波長コードとを含む。任意選択で、各ターゲット指示エントリが、ソースＰＯＮのグループ識別子と、ソースＰＯＮのＰＯＮ識別子と、移転されるＯＮＵの機器シーケンス番号、他とをさらに含むことができる。
【００６６】
さらに、移転命令が、特定の実施形態による、新たに提案された物理層運用管理および保守（ＰＬＯＡＭ）メッセージで実施されうる。表２および表３に、それぞれＧ−ＰＯＮ（ＩＴＵ  Ｇ９８４．３）システムとＸＧ−ＰＯＮ（ＩＴＵ  Ｇ９８７．３）システムに適した移転命令の定義を示す。
【００６７】
【表２】
2015530812.tif 000004
【００６８】
【表３】
2015530812.tif 000005
【００６９】
先の実施形態の全ては単に例証のためのものであり限定するものではないことが、当業者には理解されたい。異なる実施形態に現れる異なる技術的特徴が利点に組み込まれうる。図面、説明および特許請求の範囲の検討とともに、開示した実施形態に対する他の異種の実施形態が、当業者には理解され製作されよう。特許請求の範囲では、用語「備える、含む（ｃｏｍｐｒｉｓｉｎｇ）」は、別の装置（複数可）またはステップ（複数可）を排除せず、定冠詞「１つの（ａまたはａｎ）」は複数を排除せず、用語「第１の（ｆｉｒｓｔ）」、「第２の（ｓｅｃｏｎｄ）」他は、単に名称を指名するものでありいずれの特定の順序を示唆するものではない。特許請求の範囲のいずれの参照番号も本発明の範囲を限定するものとして解釈されるべきではない。いくつかの技術的特徴が異なる特許請求の範囲の独立請求項に現れるというだけの事実は、これらの技術的特徴が利点に組み込まれ得ないということを意味するものではない。
【図１】
2015530812.tif 000006
【図２】
2015530812.tif 000007
【図３】
2015530812.tif 000008
【図４】
2015530812.tif 000009
【図５】
2015530812.tif 000010
【図６】
2015530812.tif 000011
【図７ａ】
2015530812.tif 000012
【図７ｂ】
2015530812.tif 000013
【図８】
2015530812.tif 000014
【図９】
2015530812.tif 000015
【国際調査報告】
2015530812.tif 000016
2015530812.tif 000017